(57)【要約】【課題】筐体内に配置したフィルター本体自体を回転させて筐体内の液体に水流（旋回流）を発生させて、大きな異物あるいは重い異物はこの水流の遠心力を利用して筐体の底部で捕捉し、小さな異物はフィルター本体で捕捉し、効率良く濾過を行なうこと。【解決手段】筐体２内の略中央部にフィルター本体３を回転自在に配置する。フィルター本体３は歯車１０が一体的に設けられており、モータＭの回転によりチェーン１３及び歯車１０を介してフィルター本体３が回転駆動される。フィルター本体３を回転させることで、筐体２内の液体に水流（旋回流）を発生させて、大きな異物６あるいは重い異物６はこの旋回流の遠心力を利用して筐体２の底部で捕捉し、小さな異物６はフィルター本体３で捕捉して、効率良く濾過を行なうことができる。【選択図】        図１
2004330009.tif 000002
【特許請求の範囲】
【請求項１】
濾過すべき液体が流入され底部が通常は閉塞されている筒状の筐体（２）と、この筐体（２）内に回転自在に配置されているフィルター本体（３）と、このフィルター本体（３）を回転させる回転駆動手段とでフィルター装置（１）を構成し、前記フィルター本体（３）の回転と共に、フィルター本体（３）を通過した液体を外部へ流出させるようにしていることを特徴とするフィルター装置。
【請求項２】
前記フィルター装置（１）の筐体（２）は略円筒状に形成され、該筐体（２）の底面は略平面状に形成されていることを特徴とする請求項１記載のフィルター装置。
【請求項３】
前記フィルター装置（１）の筐体（２）は略円筒状に形成され、該筐体（２）の底面は略平面状に形成され、筐体（２）の下部は上部より太径とした膨出部（２３）を形成していることを特徴とする請求項１記載のフィルター装置。
【請求項４】
前記フィルター本体（３）は、
周囲が略プリーツ状に折曲形成されて略円筒状で剛性を有し、略全面にわたって液体を通過させる流通孔（３１）を多数穿孔した支持体（３０）と、この支持体（３０）の上面開口面を閉塞する上板（３３）と、前記支持体（３０）の下面開口面を閉塞する底板（３５）と、前記支持体（３０）の外周面に沿って着脱自在に装着され、周囲が略プリーツ状に折曲形成されて略円筒状のフィルターエレメント（３２）とで構成され、
前記上板（３３）または底板（３５）に挿通孔（３４）を介して連結されたパイプ状部材を介して濾過した液体を外部へ流出させるようにしていることを特徴とする請求項１〜請求項３のいずれかに記載のフィルター装置。
【請求項５】
前記フィルター本体（３）は、
断面形状が三角形状、四角形状、五角形状、六角形状のいずれかであり、略円筒状で剛性を有し、略全面にわたって液体を通過させる流通孔（３１）を多数穿孔した支持体（３０）と、この支持体（３０）の上面開口面を閉塞する上板（３３）と、前記支持体（３０）の下面開口面を閉塞する底板（３５）と、前記支持体（３０）の外周面に沿って着脱自在に装着されているフィルターエレメント（３２）とで構成され、
前記上板（３３）または底板（３５）に挿通孔（３４）を介して連結されたパイプ状部材を介して濾過した液体を外部へ流出させるようにしていることを特徴とする請求項１〜請求項３のいずれかに記載のフィルター装置。
【請求項６】
前記フィルター本体（３）は、
断面形状が略円形であって略円筒状で剛性を有し略全面にわたって液体を通過させる流通孔（３１）を多数穿孔した支持体（３０）と、この支持体（３０）の外周面に配設されて液体に水流を興させるためのフィン（４６）と、前記支持体（３０）の上面開口面を閉塞する上板（３３）と、前記支持体（３０）の下面開口面を閉塞する底板（３５）と、前記支持体（３０）の外周面に沿って着脱自在に装着されているフィルターエレメント（３２）とで構成され、
前記上板（３３）または底板（３５）に挿通孔（３４）を介して連結されたパイプ状部材を介して濾過した液体を外部へ流出させるようにしていることを特徴とする請求項１〜請求項３のいずれかに記載のフィルター装置。
【請求項７】
濾過すべき液体が流入され底部が通常は閉塞されている筒状の筐体（２）と、この筐体（２）内に回転自在に配置されているフィルター本体（３）と、このフィルター本体（３）を回転させる回転駆動手段と、前記筐体（２）内の底部に配設した邪魔板（５０）とでフィルター装置（１）を構成し、前記フィルター本体（３）の回転と共に、フィルター本体（３）を通過した液体を外部へ流出させるようにしていることを特徴とするフィルター装置。
【請求項８】
前記フィルター装置（１）の筐体（２）は略円筒状に形成され、該筐体（２）の底面は略平面状に形成されていることを特徴とする請求項７記載のフィルター装置。
【請求項９】
前記フィルター装置（１）の筐体（２）は略円筒状に形成され、該筐体（２）の底面は略平面状に形成され、筐体（２）の下部は上部より太径とした膨出部（２３）を形成していることを特徴とする請求項７記載のフィルター装置。
【請求項１０】
前記フィルター本体（３）は、
周囲が略プリーツ状に折曲形成されて略円筒状で剛性を有し、略全面にわたって液体を通過させる流通孔（３１）を多数穿孔した支持体（３０）と、この支持体（３０）の上面開口面を閉塞する上板（３３）と、前記支持体（３０）の下面開口面を閉塞する底板（３５）と、前記支持体（３０）の外周面に沿って着脱自在に装着され、周囲が略プリーツ状に折曲形成されて略円筒状のフィルターエレメント（３２）とで構成され、
前記上板（３３）または底板（３５）に挿通孔（３４）を介して連結されたパイプ状部材を介して濾過した液体を外部へ流出させるようにしていることを特徴とする請求項７〜請求項９のいずれかに記載のフィルター装置。
【請求項１１】
前記フィルター本体（３）は、
断面形状が三角形状、四角形状、五角形状、六角形状のいずれかであり、略円筒状で剛性を有し、略全面にわたって液体を通過させる流通孔（３１）を多数穿孔した支持体（３０）と、この支持体（３０）の上面開口面を閉塞する上板（３３）と、前記支持体（３０）の下面開口面を閉塞する底板（３５）と、前記支持体（３０）の外周面に沿って着脱自在に装着されているフィルターエレメント（３２）とで構成され、
前記上板（３３）または底板（３５）に挿通孔（３４）を介して連結されたパイプ状部材を介して濾過した液体を外部へ流出させるようにしていることを特徴とする請求項７〜請求項９のいずれかに記載のフィルター装置。
【請求項１２】
前記フィルター本体（３）は、
断面形状が略円形であって略円筒状で剛性を有し略全面にわたって液体を通過させる流通孔（３１）を多数穿孔した支持体（３０）と、この支持体（３０）の外周面に配設されて液体に水流を興させるためのフィン（４６）と、前記支持体（３０）の上面開口面を閉塞する上板（３３）と、前記支持体（３０）の下面開口面を閉塞する底板（３５）と、前記支持体（３０）の外周面に沿って着脱自在に装着されているフィルターエレメント（３２）とで構成され、
前記上板（３３）または底板（３５）に挿通孔（３４）を介して連結されたパイプ状部材を介して濾過した液体を外部へ流出させるようにしていることを特徴とする請求項７〜請求項９のいずれかに記載のフィルター装置。
【発明の詳細な説明】
【０００１】
【発明の属する技術分野】
本発明は、小容量の液体から大容量の液体までも濾過を可能とした液体を濾過するためのフィルター装置に関するものである。
【０００２】
【従来の技術】
液体を濾過するためのフィルターは、従来より各種のものが提供されており、例えば、筐体内で水流を生じさせて異物を底部に沈殿させるサイクロン式のフィルターや、フィルターエレメントをプリーツ状に折曲して円筒状に形成し、該フィルターエレメントの材料として紙製や不織布で構成したフィルターなどの各種のフィルターが提供されている。
【０００３】
上記のサイクロン式のフィルターとしては、例えば、特許文献１が挙げられ、また、フィルターエレメントを蛇腹式としたフィルターとしては、例えば、特許文献２が挙げられる。
【０００４】
【特許文献１】
特開２００３−２４７２１号公報
【特許文献２】
特開２００１−１０４７１６号公報
【０００５】
上記特許文献１に記載されているサイクロン付き液体フィルターは、自動車等の車両に用いられる燃料フィルターに関するものである。そして、このフィルターは、外殻を構成する円筒状の外筒状壁と、この外筒状壁の内側であって同心円状に配置された内筒状壁と、前記外筒状壁と内筒状壁との間に配置された濾過エレメントとで基本的に構成されている。
前記濾過エレメントは、外筒状壁と内筒状壁との間にあまり隙間がない状態で配置されており、濾過エレメントの外周面側に設けられている周壁の上部には、旋回流を発生させるための旋回羽根が所定の間隔でもって設けられている。
【０００６】
さらに、前記濾過エレメントの下方に異物捕捉部が設けられていて、ポンプ等によって送られた液体は旋回羽根によって旋回流が与えられつつ旋回流を維持した状態で流体中の異物に遠心力が付与されて、大きな異物は異物捕捉部で捕捉され、残りの異物は濾過エレメントの濾過材にて濾過されるようになっている。
【０００７】
一方、特許文献２は、本出願人が既に出願したものであり、また、この特許文献２以外にも濾過エレメントをプリーツ状にしたフィルターを多数出願している。この特許文献２では、プリーツ状に折曲した円筒状の支持体の外周面に、同様にプリーツ状に折曲した円筒状の濾過エレメントを設けたものである。
そして、濾過エレメントを不織布で構成して、断面が略三角形状とした異物捕捉部により大量の異物を捕捉するようにしている。
【０００８】
【発明が解決しようとする課題】
しかしながら、前記特許文献１においては、ポンプ等で液体を強制的に流入させて旋回羽根にて旋回流を発生させる構造のために、単位時間当たりの液体の濾過量が少なく、大量の液体を濾過できないという問題があった。
また、他の一般的なサイクロン式のフィルターにおいては、遠心力により旋回流を発生させる構造のため、大きな異物は下方へ沈殿させて濾過できるものの、小さな異物（例えば、ｍｍ単位や、μｍ単位）を効果的に捕捉できず、比較的大きな異物した捕捉できないという問題がある。
【０００９】
特許文献２においては、小さな異物から大きな異物まで効果的に捕捉することができるものの、特に濾過すべく液体に大きな異物が混入している場合には、異物を捕捉する捕捉部が直ぐに満杯になり、フィルターエレメント自体、あるいはフィルター自体の交換時期が早く来るという問題があった。
そのため、所謂ランニングコストの点で難があり、また、フィルターエレメント等の交換により作業効率が悪いという問題があった。
【００１０】
本発明は上述の問題点に鑑みて提供したものであって、少なくとも以下に示す目的を達成すべくフィルターを提供するものである。
▲１▼  フィルターエレメントとこのフィルターエレメントを支持する支持体からなるフィルター本体自体を回転させる構造として、単位時間当たりの水量が少ない場合や、また、単位時間当たりの水量が大量であっても、効果的に液体を濾過することができるようにすること。
▲２▼  筐体内に配置したフィルター本体自体を回転させて筐体内の液体に水流（旋回流）を発生させて、大きな異物あるいは重い異物はこの水流の遠心力を利用して筐体の底部で捕捉し、小さな異物はフィルター本体で捕捉し、効率良く濾過を行なうこと。
▲３▼  比較的大きな異物あるいは重い異物は、筐体内の底部に沈殿ないし沈下させて、小さな異物をフィルター本体で捕捉させることで、フィルター本体の交換時期を遅らせてランニングコストを安くすると共に、濾過の作業効率を向上させること。
▲４▼  筐体内の底部に邪魔板を配設して、この邪魔板にて筐体内の底部での旋回流の勢いを衰えさせて、異物の撹拌をしにくくして異物の沈殿ないし沈下を促進させること。
【００１１】
【課題を解決するための手段】
そこで、本発明の請求項１記載のフィルター装置では、濾過すべき液体が流入され底部が通常は閉塞されている筒状の筐体２と、この筐体２内に回転自在に配置されているフィルター本体３と、このフィルター本体３を回転させる回転駆動手段とでフィルター装置１を構成し、前記フィルター本体３の回転と共に、フィルター本体３を通過した液体を外部へ流出させるようにしていることを特徴としている。
【００１２】
かかる構成とすることで、フィルター本体３を回転させることで、筐体２内の液体に水流（旋回流）を発生させて、大きな異物６あるいは重い異物６はこの旋回流の遠心力を利用して筐体２の底部で捕捉し、小さな異物６はフィルター本体３で捕捉して、効率良く濾過を行なうことができる。また、フィルター本体３で小さな異物６を捕捉するようにしているので、フィルター本体３の交換時期を遅らせてランニングコストを安くすることができると共に、濾過の作業効率を向上させることができる。さらに、かかる構成により、単位時間当たりの水量が少ない場合はもちろん、単位時間当たりの水量が大量であっても、筐体２やフィルター本体３を大型にして効果的に液体を濾過することができる。
【００１３】
請求項２記載のフィルター装置では、前記フィルター装置１の筐体２は略円筒状に形成され、該筐体２の底面は略平面状に形成されていることを特徴としている。
これにより、筐体２内の旋回流で大きな異物６を沈殿ないし沈下させても、筐体２の底部が略平面状となっているので、筐体２内の底部での旋回流の勢いが衰えて沈殿ないし沈下した異物６が撹拌されにくくなり、旋回流による異物６の捕捉を効果的に行なうことができる。
【００１４】
請求項３記載のフィルター装置では、前記フィルター装置１の筐体２は略円筒状に形成され、該筐体２の底面は略平面状に形成され、筐体２の下部は上部より太径とした膨出部２３を形成していることを特徴としている。
これにより、筐体２内の旋回流で大きな異物６あるいは重い異物６を沈殿ないし沈下させても、筐体２の底部が略平面状となっていて、且つ太径となっている膨出部２３により、旋回流の勢いが一層衰えて沈殿ないし沈下した異物６が撹拌されにくくなり、筐体２内の底部での旋回流による異物６の捕捉を一層効果的に行なうことができる。
【００１５】
請求項４記載のフィルター装置では、前記フィルター本体３は、周囲が略プリーツ状に折曲形成されて略円筒状で剛性を有し、略全面にわたって液体を通過させる流通孔３１を多数穿孔した支持体３０と、この支持体３０の上面開口面を閉塞する上板３３と、前記支持体３０の下面開口面を閉塞する底板３５と、前記支持体３０の外周面に沿って着脱自在に装着され、周囲が略プリーツ状に折曲形成されて略円筒状のフィルターエレメント３２とで構成され、前記上板３３または底板３５に挿通孔３４を介して連結されたパイプ状部材を介して濾過した液体を外部へ流出させるようにしていることを特徴としている。
【００１６】
これにより、フィルター本体３の周囲のプリーツ状に形成された部分によりフィルター本体３自体を回転させることで、筐体２内の液体に水流（旋回流）を興させることができ、旋回流を興させるための別途の手段が不要となり、フィルター装置１全体のコストを安価にすることができる。
【００１７】
請求項５記載のフィルター装置では、前記フィルター本体３は、断面形状が三角形状、四角形状、五角形状、六角形状のいずれかであり、略円筒状で剛性を有し、略全面にわたって液体を通過させる流通孔３１を多数穿孔した支持体３０と、この支持体３０の上面開口面を閉塞する上板３３と、前記支持体３０の下面開口面を閉塞する底板３５と、前記支持体３０の外周面に沿って着脱自在に装着されているフィルターエレメント３２とで構成され、前記上板３３または底板３５に挿通孔３４を介して連結されたパイプ状部材を介して濾過した液体を外部へ流出させるようにしていることを特徴としている。
【００１８】
これにより、フィルター本体３の周囲には角部が形成されているので、フィルター本体３自体を回転させることで、前記角部により筐体２内の液体に水流（旋回流）を興させることができ、旋回流を興させるための別途の手段が不要となり、フィルター装置１全体のコストを安価にすることができる。また、フィルター本体３自体の構成も簡素化できて、フィルター本体３の製造コストも安価にできる。
【００１９】
請求項６記載のフィルター装置では、前記フィルター本体３は、断面形状が略円形であって略円筒状で剛性を有し略全面にわたって液体を通過させる流通孔３１を多数穿孔した支持体３０と、この支持体３０の外周面に配設されて液体に水流を興させるためのフィン４６と、前記支持体３０の上面開口面を閉塞する上板３３と、前記支持体３０の下面開口面を閉塞する底板３５と、前記支持体３０の外周面に沿って着脱自在に装着されているフィルターエレメント３２とで構成され、前記上板３３または底板３５に挿通孔３４を介して連結されたパイプ状部材を介して濾過した液体を外部へ流出させるようにしていることを特徴としている。
【００２０】
これにより、フィルター本体３を構成している支持体３０に断面が円形の場合であっても、フィルター本体３自体を回転させることで、支持体３０の外周面に形成したフィン４６により筐体２内の液体に水流（旋回流）を興させることができ、旋回流を興させるための別途の手段が不要となり、フィルター装置１全体のコストを安価にすることができる。また、フィルター本体３自体の構成も簡素化できて、フィルター本体３の製造コストも安価にできる。
【００２１】
請求項７記載のフィルター装置では、濾過すべき液体が流入され底部が通常は閉塞されている筒状の筐体２と、この筐体２内に回転自在に配置されているフィルター本体３と、このフィルター本体３を回転させる回転駆動手段と、前記筐体２内の底部に配設した邪魔板５０とでフィルター装置１を構成し、前記フィルター本体３の回転と共に、フィルター本体３を通過した液体を外部へ流出させるようにしていることを特徴としている。
【００２２】
かかる構成とすることで、フィルター本体３を回転させることで、筐体２内の液体に水流（旋回流）を発生させて、大きな異物６あるいは重い異物６はこの旋回流の遠心力を利用して筐体２の底部で捕捉し、小さな異物６はフィルター本体３で捕捉して、効率良く濾過を行なうことができる。特に、筐体２内の底部には邪魔板５０を設けているので、筐体２内の底部での旋回流の勢いを一層衰えさせることができて、異物６を効果的に沈殿ないし沈下させることができ、濾過機能を一層向上させることができる。
また、フィルター本体３で小さな異物６を捕捉するようにしているので、フィルター本体３の交換時期を遅らせてランニングコストを安くすることができると共に、濾過の作業効率を向上させることができる。さらに、かかる構成により、単位時間当たりの水量が少ない場合はもちろん、単位時間当たりの水量が大量であっても、筐体２やフィルター本体３を大型にして効果的に液体を濾過することができる。
【００２３】
請求項８記載のフィルター装置では、前記フィルター装置１の筐体２は略円筒状に形成され、該筐体２の底面は略平面状に形成されていることを特徴としている。
これにより、筐体２内の旋回流で大きな異物６あるいは重い異物６を沈殿ないし沈下させても、筐体２の底部が略平面状となっていて、且つ筐体２内の底部に邪魔板５０を設けていることで、筐体２内の底部での旋回流の勢いが衰えて沈殿ないし沈下した異物６が撹拌されにくくなり、旋回流による異物６の捕捉を一層効果的に行なうことができる。
【００２４】
請求項９記載のフィルター装置では、前記フィルター装置１の筐体２は略円筒状に形成され、該筐体２の底面は略平面状に形成され、筐体２の下部は上部より太径とした膨出部２３を形成していることを特徴としている。
これにより、筐体２内の旋回流で大きな異物６あるいは重い異物６を沈殿ないし沈下させても、筐体２の底部が略平面状となっていて、且つ太径となっている膨出部２３により、しかも筐体２内の底部に邪魔板５０を設けているので、筐体２内の底部での旋回流の勢いが一層衰えて沈殿ないし沈下した異物６が撹拌されにくくなり、旋回流による異物６の捕捉を一層効果的に行なうことができる。
【００２５】
請求項１０記載のフィルター装置では、前記フィルター本体３は、周囲が略プリーツ状に折曲形成されて略円筒状で剛性を有し、略全面にわたって液体を通過させる流通孔３１を多数穿孔した支持体３０と、この支持体３０の上面開口面を閉塞する上板３３と、前記支持体３０の下面開口面を閉塞する底板３５と、前記支持体３０の外周面に沿って着脱自在に装着され、周囲が略プリーツ状に折曲形成されて略円筒状のフィルターエレメント３２とで構成され、前記上板３３または底板３５に挿通孔３４を介して連結されたパイプ状部材を介して濾過した液体を外部へ流出させるようにしていることを特徴としている。
【００２６】
これにより、フィルター本体３の周囲のプリーツ状に形成された部分によりフィルター本体３自体を回転させることで、筐体２内の液体に水流（旋回流）を興させることができ、旋回流を興させるための別途の手段が不要となり、フィルター装置１全体のコストを安価にすることができる。
【００２７】
請求項１１記載のフィルター装置では、前記フィルター本体３は、断面形状が三角形状、四角形状、五角形状、六角形状のいずれかであり、略円筒状で剛性を有し、略全面にわたって液体を通過させる流通孔３１を多数穿孔した支持体３０と、この支持体３０の上面開口面を閉塞する上板３３と、前記支持体３０の下面開口面を閉塞する底板３５と、前記支持体３０の外周面に沿って着脱自在に装着されているフィルターエレメント３２とで構成され、前記上板３３または底板３５に挿通孔３４を介して連結されたパイプ状部材を介して濾過した液体を外部へ流出させるようにしていることを特徴としている。
【００２８】
これにより、フィルター本体３の周囲には角部が形成されているので、フィルター本体３自体を回転させることで、前記角部により筐体２内の液体に水流（旋回流）を興させることができ、旋回流を興させるための別途の手段が不要となり、フィルター装置１全体のコストを安価にすることができる。また、フィルター本体３自体の構成も簡素化できて、フィルター本体３の製造コストも安価にできる。
【００２９】
請求項１２記載のフィルター装置では、前記フィルター本体３は、断面形状が略円形であって略円筒状で剛性を有し略全面にわたって液体を通過させる流通孔３１を多数穿孔した支持体３０と、この支持体３０の外周面に配設されて液体に水流を興させるためのフィン４６と、前記支持体３０の上面開口面を閉塞する上板３３と、前記支持体３０の下面開口面を閉塞する底板３５と、前記支持体３０の外周面に沿って着脱自在に装着されているフィルターエレメント３２とで構成され、前記上板３３または底板３５に挿通孔３４を介して連結されたパイプ状部材を介して濾過した液体を外部へ流出させるようにしていることを特徴としている。
【００３０】
これにより、フィルター本体３を構成している支持体３０に断面が円形の場合であっても、フィルター本体３自体を回転させることで、支持体３０の外周面に形成したフィン４６により筐体２内の液体に水流（旋回流）を興させることができ、旋回流を興させるための別途の手段が不要となり、フィルター装置１全体のコストを安価にすることができる。また、フィルター本体３自体の構成も簡素化できて、フィルター本体３の製造コストも安価にできる。
【００３１】
【発明の実施の形態】
（第１の実施の形態）
以下、本発明の第１の実施の形態を図１〜図４を参照して詳細に説明する。図１は本発明のフィルター装置１の斜視図を示しており、このフィルター装置１は、略円筒状の筐体２と、この筐体２の略中央部分に回転自在に設けられているフィルター本体３とで構成されている。
図２はフィルター装置１の縦方向における断面図を示し、図３はフィルター装置１の横方向における断面図を示し、また、図４はフィルター本体３の分解斜視図を示している。
【００３２】
先ず、図４に示すフィルター本体３から説明する。このフィルター本体３は、プリーツ状（ジグザグ状）に折曲して略円筒状に形成されている支持体３０と、その支持体３０の外周面に沿って着脱自在に装着され、上記支持体３０と同様にプリーツ状に折曲した略円筒状に形成されているフィルターエレメント３２と、前記支持体３０の上面開口部の周縁部に固着されて、該支持体３０の上面を閉塞する略星形に形成されている上板３３と、この上板３３と同様の形状に形成され、前記支持体３０の下面開口部の周縁部に固着されて該支持体３０の下面を閉塞する底板３５とで構成されている。
【００３３】
前記支持体３０の全面にわたって液体を通過させるための流通孔３１が多数穿孔されており、この支持体３０の材料は、例えば、ステンレスやアルミなどの金属材料にて構成されている。また、この支持体３０の上面及び下面の開口面をそれぞれ閉塞する上板３３及び底板３５も、例えば、ステンレスやアルミなどの金属材料を用いており、上板３３の略中央部には挿通孔３４が穿孔してある。
【００３４】
また、上板３３、底板３５及び前記支持体３０は剛性を保つために所定の厚みを持たせている。これら上板３３、底板３５及び前記支持体３０は合成樹脂で構成しても良く、合成樹脂で構成した場合には、剛性を保つために所定の厚みを持たせるようにするのは勿論である。
【００３５】
前記フィルターエレメント３２は、前記支持体３０の表面（外周面）に着脱自在に装着されるようになっており、材料としては、不織布あるいは紙材を用いている。
フィルターエレメント３２は支持体３０の表面に装着され、断面が略三角形状で外側に拡開する部分を異物を捕捉する捕捉部４４としている。
【００３６】
図２に示すように、前記フィルター本体３は筐体２内の略中央部に回転自在に配置されるものであり、フィルター本体３の底板３５の下面の略中央部には円筒状あるいは円柱状の軸部３６が固着されている。そして、この軸部３６の下面にベアリングなどの軸受部３７が設けられていて、この軸受部３７の下面に支持部材３８が設けられている。
図２及び図３に示すように、前記支持部材３８と筐体２の内面下部との間に複数本（この実施形態では４本）の支持片３９を架橋し、これら支持片３９にてフィルター本体３を筐体２内で支持すると共に、軸受部３７にてフィルター本体３を回転自在に軸支するようにしている。なお、図１では支持片３９は省略している。
【００３７】
一方、フィルター本体３の上部の上板３３の上面には、円筒状の軸部４０が上板３３の挿通孔３４を連通する形で固着されており、この軸部４０の内部とフィルター本体３の内部とが挿通孔３４を介して連通している。また、軸部４０の上部にはベアリングなどからなり上下を貫通した軸受部４１が設けられていて、この軸受部４１の上面側には流出パイプ４２の一端が連結されている。
この流出パイプ４２の途中には液体を吸引するとともに、フィルター本体３による濾過後の液体を外部へ排出させるためのポンプＰが介設されている。
【００３８】
前記流出パイプ４２は図外の部材により固定されており、上部の軸受部４１と下部の軸受部３７によりフィルター本体３は筐体２内で回転自在に軸支されている構造となっている。前記軸部４０には歯車１０が固着されていて、この歯車１０と、モータＭの回転軸１１に設けたスプロケット１２との間にチェーン１３が懸架されている。
そして、モータＭの回転力がチェーン１３を介して歯車１０に伝達されて、この歯車１０の回転によりフィルター本体３が回転駆動されるようになっている。なお、これらモータＭ、チェーン１３、歯車１０等でフィルター本体３を回転駆動させる回転駆動手段を構成している。
【００３９】
なお、モータＭは、一方向の回転だけでも良く、また、正逆転可能なモータを用いて所定時間毎に正転方向、あるいは逆転方向に交互に回転させるようにしても良い。さらに、チェーン１３の代わりに、ベルトを用いて歯車１０を回転させるようにしても良いものである。
【００４０】
筐体２は略円筒状に形成されていて、上面は開口され、この開口面には上蓋を設けている（図示せず）が、上蓋を設けなくても良い。また、筐体２の下部は略円錐状に形成されている。筐体２の上部の側面には濾過すべく液体を流入させる流入口２０が設けられ、筐体２の底部の略中央には筐体２の底部で沈殿した異物を外部へ排出するための排出部２１が形成されている。
この排出部２１の具体的な構造の説明は省略するが、通常時において排出部２１は閉じられていて、筐体２内に溜まった異物を排出する時だけ排出部２１を開いて異物を外部へ排出するようにしている。
【００４１】
次に、フィルター装置１の濾過動作の説明をする。フィルター装置１の流入口２０より濾過すべき液体を筐体２内に流入し、同時にモータＭを駆動して歯車１０を回転させてフィルター本体３を回転させる。また、ポンプＰも駆動してフィルター本体３にて濾過した後の液体を吸い上げる。
【００４２】
フィルター本体３が上下の軸受部４１、３７にて軸支されているので、軸部４０、３６を軸としてフィルター本体３自体が回転駆動される。フィルター本体３が回転すると、フィルター本体３の外周面には角部が多数形成されているので、つまり、フィルター本体３の外周面が支持体３０及びフィルターエレメント３２の形状が略プリーツ状になっているので、筐体２内の液体はフィルター本体３の回転に伴って水流を興し、筐体２の内周面とフィルター本体３の外周面との間にはサイクロン式のフィルターのように旋回流が発生する。
図１に示すように、筐体２内の旋回流による遠心力を利用して液体内に混入している大きな異物６あるいは重い異物６は筐体２の底部に沈殿していき、また、小さな異物６はフィルター本体３のフィルターエレメント３２にて捕捉される。この小さな異物６は、フィルターエレメント３２の捕捉部４４にて捕捉され、さらに細かい異物６（例えば、ｍｍ単位や、μ単位）はフィルターエレメント３２自体で効果的に捕捉されるようになっている。
【００４３】
このように、簡単な構成でフィルター本体３を回転させることで、筐体２内の液体に水流（旋回流）を発生させて、筐体２内に配置しているフィルター本体３の濾過機能の他に、サイクロン式フィルターの機能を付加することができる。
特に、フィルター本体３自体の回転により筐体２内の液体を強制的に旋回流を発生させるようにしているので、遠心力の作用により大きな異物６や比較的大きな異物６あるいは重い異物６は、筐体２の底部に沈殿して筐体２内での濾過作用が機能する。また、フィルター本体３自体の回転で筐体２内の液体に旋回流を興させているので、旋回流を興させるための別途の手段が不要となり、フィルター装置１全体のコストを安価にすることができる。また、フィルター本体３自体の構成も簡素化できて、フィルター本体３の製造コストも安価にできる。
【００４４】
さらに、筐体２の底部に沈殿せず筐体２内で旋回している液体に混入している小さな異物６は、ポンプＰの吸引力によりフィルター本体３のフィルターエレメント３２に吸い寄せられ、フィルターエレメント３２及び支持体３０の流通孔３１を介して支持体３０の内部へ流入していき、さらに、フィルター本体３の内部から軸部４０、流出パイプ４２を介して濾過した後の液体が外部へと流出される。
このように、大きな異物６あるいは重い異物６（大きな異物６や重い異物６）は旋回流を利用して濾過し、フィルターエレメント３２で小さな異物６を捕捉するようにしているので、効率良く濾過を行なうことができると共に、フィルターエレメント３２の捕捉部４４での捕捉量が満杯になるまでの時間が遅くなり、長時間の濾過運転を行なうことができ、ランニングコストを安くすることができる。そのため、フィルター本体３あるいはフィルターエレメント３２の交換に伴う作業時間を減らすことができて、濾過作業の効率を向上させることができる。
【００４５】
また、本発明のフィルター本体３（フィルター装置１）は、その構造上任意の大きさに形成でき、用途に応じてセンチメートル単位からメートル単位の大きさのフィルター装置１を製作することができる。さらに、液体を濾過するためのフィルター装置１であるため、用途は問わずにどのような種類の液体を濾過する場合にても適用することができる。
【００４６】
また、大量の液体を濾過する場合には、モータＭの容量を大きなものを使用し、筐体２やフィルター本体３も大きくして、フィルター本体３を十分に回転駆動できるようにする。
これにより、単位時間当たり水量が少ない場合や、また、単位時間当たりの水量が大きい場合であっても、効果的に液体を濾過することができる。
【００４７】
なお、本実施形態でフィルター本体３の捕捉部４４の数は図示して数に限定されるものではなく、捕捉部４４の数は適宜設定することができる。また、捕捉部４４の深さ、つまりフィルター本体３の径方向における寸法を適宜変更して、浅い捕捉部４４や深い捕捉部４４を形成するようにしても良い。
また、捕捉部４４の深さに寸法は数に応じて、該捕捉部４４の開き角度を任意に設定するようにしても良い。
【００４８】
（第２の実施の形態）
次に、図５により第２の実施形態について説明する。先の実施形態では筐体２の形状を下部が円錐状としていたので、筐体２内の下部では旋回流の勢いが衰えにくく、異物６が撹拌して沈殿しにくい恐れがある。
そこで、図５に示すように、フィルター装置１の筐体２の下部を先の実施形態のように円錐状にはせず、筐体２全体の形状を円筒状にして、筐体２の下部を円形にし、また筐体２内の底部を略平面状にして筐体２内の底部での旋回流の勢いを衰えさせるようにしたものである。
【００４９】
これにより、先の実施形態の場合と比べて筐体２内の下部では底部が略平面状となっているので、筐体２内の底部での旋回流が衰え易くなり、異物６の沈殿ないし沈下を容易にして、濾過機能を一層向上させることができるものである。
なお、筐体２の下部の形状以外のフィルター装置１の構成及び機能は先の実施形態と同じであり、同様の効果を発揮するものである。
【００５０】
（第３の実施の形態）
第３の実施形態では、図６に示すようにフィルター装置１の筐体２内の底部を略平面状にすると共に、筐体２の下部の直径を上部より太径とした膨出部２３を形成したものである。つまり、この膨出部２３は筐体２の上部より大きく外方に向けて突出した形状となっているので、膨出部２３により筐体２内の底部での容積が上部より大きくなり、この膨出部２３により筐体２内の底部での旋回流の勢いを大きく衰えさせることができ、異物６の撹拌を抑えて筐体２内の底部に沈殿ないし沈下した異物６が撹拌されにくくなる。そのため、旋回流による筐体２内の底部での異物６の捕捉を一層効果的に行なうことができる。
なお、この実施形態においても、膨出部２３以外のフィルター装置１の他の構成、機能及び効果は第１の実施形態と同様である。
【００５１】
（第４の実施の形態）
図７及び図８は第４の実施形態を示し、図１及び図２に対応した実施形態である。フィルター装置１のフィルター本体３の周囲には勢いよく旋回流を発生させて、フィルター本体３の下方、つまり筐体２内の底部での旋回流の勢いを衰えさせて異物６を沈殿ないし沈下させ易くするようにしたものである。
【００５２】
すなわち、図７及び図８は、図１及び図２に対応しているので、筐体２の下部は略円錐状になっており、そのため、筐体２の底部の形状に合うように略三角形状とした平板状の邪魔板５０を該筐体２の底部に配設している。邪魔板５０の枚数は図示例では４枚で、約９０度間隔を開けて配設している。
もちろん、邪魔板５０の枚数は４枚に限られるものではなく、１枚〜３枚、あるいは５枚以上を設けるようにしても良いものである。また、邪魔板５０の高さも任意に設定できるのは言うまでもない。
【００５３】
このように筐体２の下部に邪魔板５０を設けることで、フィルター本体３の回転数を図１及び図２の場合と比べて上げることができて、筐体２内の旋回流を一層勢いを増して遠心力を高めることができて異物６の濾過機能を向上させることができる。しかも、筐体２内の下部では、邪魔板５０により旋回流の勢いを急速に衰えさせることができて、筐体２内の底部での異物６の撹拌を防止でき、異物６の沈殿ないし沈下を一層促進させて、濾過機能を一層向上させることができる。
【００５４】
なお、この実施形態では、邪魔板５０を設けた以外は、フィルター装置１の構成や効果は第１の実施形態と同様である。
【００５５】
図９は図５に対応した実施形態を示し、図７及び図８の場合と同様に異物６の沈殿ないし沈下を促進させるためにフィルター装置１の筐体２内の底部に複数枚（本実施形態では４枚）の邪魔板５０を設けたものである。
【００５６】
図９に示す実施形態においては、筐体２内の旋回流で大きな異物６あるいは重い異物６を沈殿ないし沈下させても、筐体２の底部が略平面状となっていて、且つ筐体２内の底部に邪魔板５０を設けていることで、筐体２内の底部での旋回流の勢いが衰えて沈殿ないし沈下した異物６が撹拌されにくくなり、旋回流による異物６の捕捉を一層効果的に行なうことができる。
【００５７】
また、図１０は図６に対応した実施形態を示すものであり、フィルター装置１の筐体２内の底部に複数枚（本実施形態では４枚）の邪魔板５０を設けることで、図７及び図８の場合と同様に異物６の沈殿ないし沈下を促進させるようにしたものである。
【００５８】
図１０に示す実施形態では、筐体２内の旋回流で大きな異物６あるいは重い異物６を沈殿ないし沈下させても、筐体２の底部が略平面状となっていて、且つ太径となっている膨出部２３により、しかも筐体２内の底部に邪魔板５０を設けているので、筐体２内の底部での旋回流の勢いが一層衰えて沈殿ないし沈下した異物６が撹拌されにくくなり、旋回流による異物６の捕捉を一層効果的に行なうことができる。
【００５９】
図９及び図１０においても、邪魔板５０の枚数は４枚に限られるものではなく、１枚〜３枚、あるいは５枚以上を設けるようにしても良い。また、邪魔板５０の高さも任意に設定できるものである。また、邪魔板５０を設けた以外は、フィルター装置１の構成は図５及び図６の場合と同様である。このように邪魔板５０を設けることで、筐体２内の底部での旋回流の勢いを衰えさせて、異物６の沈殿ないし沈下を促進させて濾過機能を一層向上させることができる。
【００６０】
なお、図７〜図１０の説明では、大きな異物６あるいは重い異物６（大きな異物６や重い異物６）の濾過の場合について説明したが、先の実施形態で説明したように、小さな異物６はフィルター本体３で捕捉するようにしているものである。
【００６１】
このように図７〜図１０の各実施形態において、フィルター本体３を回転させることで、筐体２内の液体に水流（旋回流）を発生させて、大きな異物６あるいは重い異物６はこの旋回流の遠心力を利用して筐体２の底部で捕捉し、小さな異物６はフィルター本体３で捕捉して、効率良く濾過を行なうことができる。特に、筐体２内の底部には邪魔板５０を設けているので、筐体２内の底部での旋回流の勢いを一層衰えさせることができて、異物６を効果的に沈殿ないし沈下させることができ、濾過機能を一層向上させることができる。
また、フィルター本体３で小さな異物６を捕捉するようにしているので、フィルター本体３の交換時期を遅らせてランニングコストを安くすることができると共に、濾過の作業効率を向上させることができる。さらに、かかる構成により、単位時間当たりの水量が少ない場合はもちろん、単位時間当たりの水量が大量であっても、筐体２やフィルター本体３を大型にして効果的に液体を濾過することができる。
【００６２】
（第５の実施の形態）
次に、第５の実施形態を図１１〜図１３を用いて説明する。先の各実施形態ではフィルター本体３の外周面の形状をプリーツ状にしていたので、フィルター本体３を回転させるだけで筐体２内で水流を興させることができた。この実施形態では支持体３０の形状を円筒状に形成した場合であり、そのため、外周面にフィルターエレメント３２を着脱自在に装着した支持体３０を単に回転させても筐体２内で旋回流を発生させることが難しいことになる。
【００６３】
そこで、円筒状の支持体３０の表面に縦方向に所定の間隔をあけて平板状のフィン４６を一体的に設けて、このフィン４６により筐体２内の液体に旋回流を発生させるようにしたものである。なお、フィン４６はこの実施形態では４枚としているが、旋回流を興させることが出来れば何枚でも良い。
図１１は支持体３０の斜視図を、図１２は支持体３０の平面図をそれぞれ示し、図１３は支持体３０の外周面にフィルターエレメント３２を着脱自在に装着した場合のフィルター本体３の平面図を示している。
【００６４】
この実施形態では、フィルターエレメント３２をフィン４６ごと支持体３０の外周面に装着しているものであり、このフィルター本体３を回転させることで、上述したように筐体２内の液体に水流（旋回流）を発生させて、この旋回流により大きな異物６を筐体２の底部に沈下させて濾過機能を発揮させるようにしている。
【００６５】
このように、フィルター本体３を構成している支持体３０に断面が円形の場合であっても、フィルター本体３自体を回転させることで、支持体３０の外周面に形成したフィン４６により筐体２内の液体に水流（旋回流）を興させることができ、旋回流を興させるための別途の手段が不要となり、フィルター装置１全体のコストを安価にすることができる。また、フィルター本体３自体の構成も簡素化できて、フィルター本体３の製造コストも安価にできる。
【００６６】
（第６の実施の形態）
第６の実施形態を図１４〜図１６を用いて説明する。この実施形態では第５のの実施形態と比べてフィン４６の形状を少し異ならせたものであり、フィン４６は平板状で略コ字型に形成したものである。
すなわち、先の第４の実施形態ではフィン４６ごとフィルターエレメント３２を覆っていたが、この実施形態では円筒状の支持体３０の外周面にのみフィルターエレメント３２を装着するようにしたものである。そのため、フィルターエレメント３２を通すために空間部４７をフィン４６の内側に設けている。
【００６７】
この実施形態では、フィン４６の部分にはフィルターエレメント３２を覆っていないので、その分フィルターエレメント３２の量を少なくできて、安価に構成することができる。
フィルター本体３を回転させると、フィン４６により筐体２内の液体に旋回流を発生させて異物６の濾過機能を発揮させることができる。
【００６８】
この実施形態においても、図１１〜図１３に示す実施形態と同様に、フィルター本体３を構成している支持体３０に断面が円形の場合であっても、フィルター本体３自体を回転させることで、支持体３０の外周面に形成したフィン４６により筐体２内の液体に水流（旋回流）を興させることができ、旋回流を興させるための別途の手段が不要となり、フィルター装置１全体のコストを安価にすることができる。また、フィルター本体３自体の構成も簡素化できて、フィルター本体３の製造コストも安価にできる。
【００６９】
（第７の実施の形態）
フィルター本体３を液体内で回転させて該液体に旋回流を興させるには、フィルター本体３の外周面のどこかに角部があれば良く、この実施形態では、先の実施形態とは異なりフィン４６を無くしたものである。
図１７はフィルター本体３の支持体３０を断面略六角形状としたものであり、図１８は支持体３０の断面を略五角形状とし、図１９は支持体３０の断面を略四角形状と、図２０は支持体３０の断面を略三角形状としたものである。
【００７０】
図１７〜図２０において、支持体３０の外周面にはそれぞれその外周面に沿わせてフィルターエレメント３２を着脱自在に装着しており、フィルター本体３を回転させることで、筐体２内の液体に旋回流を発生させることができる。
これにより、液体内の異物６を濾過させることができる。なお、図１７〜図２０において、各支持体３０には図示はしていないが、液体を通過させるための流通孔３１は第１の実施形態と同様に多数穿孔してある。
【００７１】
なお、図１７〜図２０に示す以外の断面が八角形や十角形等の多角形のフィルター本体３としても良い。ただし、フィルター本体３の断面が円形に近くなると旋回流を発生しにくくなるので、前記のフィン４６を設けるのが望ましい。
【００７２】
このように、フィルター本体３の周囲には角部が形成されているので、フィルター本体３自体を回転させることで、前記角部により筐体２内の液体に水流（旋回流）を興させることができ、旋回流を興させるための別途の手段が不要となり、フィルター装置１全体のコストを安価にすることができる。また、フィルター本体３自体の構成も簡素化できて、フィルター本体３の製造コストも安価にできる。
【００７３】
ここで、上記各実施形態においてそれぞれフィルター装置１のフィルター本体３や筐体２の構造について説明したが、各フィルター本体３と、各筐体２とを任意にそれぞれ組み合わせてフィルター装置１を構成することができるのはもちろんである。
【００７４】
また、各実施形態において、フィルター本体３の上板３３から軸部４０及び流出パイプ４２を介して濾過後の液体を流出するようにしていたが、フィルター本体３の底板３５からパイプ等の部材にて濾過後の液体を流出させるようにしても良い。
【００７５】
【発明の効果】
本発明の請求項１記載のフィルター装置によれば、フィルター本体を回転させることで、筐体内の液体に水流（旋回流）を発生させて、大きな異物あるいは重い異物はこの旋回流の遠心力を利用して筐体の底部で捕捉し、小さな異物はフィルター本体で捕捉して、効率良く濾過を行なうことができる。また、フィルター本体で小さな異物を捕捉するようにしているので、フィルター本体の交換時期を遅らせてランニングコストを安くすることができると共に、濾過の作業効率を向上させることができる。さらに、かかる構成により、単位時間当たりの水量が少ない場合はもちろん、単位時間当たりの水量が大量であっても、筐体やフィルター本体を大型にして効果的に液体を濾過することができる。
【００７６】
請求項２記載のフィルター装置によれば、筐体内の旋回流で大きな異物を沈殿ないし沈下させても、筐体の底部が略平面状となっているので、筐体内の底部での旋回流の勢いが衰えて沈殿ないし沈下した異物が撹拌されにくくなり、旋回流による異物の捕捉を効果的に行なうことができる。
【００７７】
請求項３記載のフィルター装置によれば、筐体内の旋回流で大きな異物あるいは重い異物を沈殿ないし沈下させても、筐体の底部が略平面状となっていて、且つ太径となっている膨出部により、筐体内の底部での旋回流の勢いが一層衰えて沈殿ないし沈下した異物が撹拌されにくくなり、旋回流による異物の捕捉を一層効果的に行なうことができる。
【００７８】
また、請求項４記載のフィルター装置によれば、フィルター本体の周囲のプリーツ状に形成された部分によりフィルター本体自体を回転させることで、筐体内の液体に水流（旋回流）を興させることができ、旋回流を興させるための別途の手段が不要となり、フィルター装置全体のコストを安価にすることができる。
【００７９】
請求項５記載のフィルター装置によれば、フィルター本体の周囲には角部が形成されているので、フィルター本体自体を回転させることで、前記角部により筐体内の液体に水流（旋回流）を興させることができ、旋回流を興させるための別途の手段が不要となり、フィルター装置全体のコストを安価にすることができる。また、フィルター本体自体の構成も簡素化できて、フィルター本体の製造コストも安価にできる。
【００８０】
請求項６記載のフィルター装置によれば、フィルター本体を構成している支持体に断面が円形の場合であっても、フィルター本体自体を回転させることで、支持体の外周面に形成したフィンにより筐体内の液体に水流（旋回流）を興させることができ、旋回流を興させるための別途の手段が不要となり、フィルター装置全体のコストを安価にすることができる。また、フィルター本体自体の構成も簡素化できて、フィルター本体の製造コストも安価にできる。
【００８１】
請求項７記載のフィルター装置によれば、フィルター本体を回転させることで、筐体内の液体に水流（旋回流）を発生させて、大きな異物あるいは重い異物はこの旋回流の遠心力を利用して筐体の底部で捕捉し、小さな異物はフィルター本体で捕捉して、効率良く濾過を行なうことができる。特に、筐体内の底部には邪魔板を設けているので、筐体内の底部での旋回流の勢いを一層衰えさせることができて、異物を効果的に沈殿ないし沈下させることができ、濾過機能を一層向上させることができる。
また、フィルター本体で小さな異物を捕捉するようにしているので、フィルター本体の交換時期を遅らせてランニングコストを安くすることができると共に、濾過の作業効率を向上させることができる。さらに、かかる構成により、単位時間当たりの水量が少ない場合はもちろん、単位時間当たりの水量が大量であっても、筐体やフィルター本体を大型にして効果的に液体を濾過することができるものである。
【００８２】
請求項８記載のフィルター装置によれば、筐体内の旋回流で大きな異物あるいは重い異物を沈殿ないし沈下させても、筐体の底部が略平面状となっていて、且つ筐体内の底部に邪魔板を設けていることで、筐体内の底部での旋回流の勢いが衰えて沈殿ないし沈下した異物が撹拌されにくくなり、旋回流による異物の捕捉を一層効果的に行なうことができる。
【００８３】
請求項９記載のフィルター装置によれば、筐体内の旋回流で大きな異物を沈殿ないし沈下させても、筐体の底部が略平面状となっていて、且つ太径となっている膨出部により、しかも筐体内の底部に邪魔板を設けているので、筐体内の底部での旋回流の勢いが一層衰えて沈殿ないし沈下した異物が撹拌されにくくなり、旋回流による異物の捕捉を一層効果的に行なうことができる。
【００８４】
請求項１０記載のフィルター装置によれば、フィルター本体の周囲のプリーツ状に形成された部分によりフィルター本体自体を回転させることで、筐体内の液体に水流（旋回流）を興させることができ、旋回流を興させるための別途の手段が不要となり、フィルター装置全体のコストを安価にすることができる。
【００８５】
請求項１１記載のフィルター装置によれば、フィルター本体の周囲には角部が形成されているので、フィルター本体自体を回転させることで、前記角部により筐体内の液体に水流（旋回流）を興させることができ、旋回流を興させるための別途の手段が不要となり、フィルター装置全体のコストを安価にすることができる。また、フィルター本体自体の構成も簡素化できて、フィルター本体の製造コストも安価にできる。
【００８６】
請求項１２記載のフィルター装置によれば、フィルター本体を構成している支持体に断面が円形の場合であっても、フィルター本体自体を回転させることで、支持体の外周面に形成したフィンにより筐体内の液体に水流（旋回流）を興させることができ、旋回流を興させるための別途の手段が不要となり、フィルター装置全体のコストを安価にすることができる。また、フィルター本体自体の構成も簡素化できて、フィルター本体の製造コストも安価にできる。
【図面の簡単な説明】
【図１】本発明の第１の実施の形態におけるフィルター装置の斜視図である。
【図２】本発明の第１の実施の形態におけるフィルター装置の断面図である。
【図３】本発明の第１の実施の形態におけるフィルター装置の断面図である。
【図４】本発明の第１の実施の形態におけるフィルター本体の分解斜視図である。
【図５】本発明の第２の実施の形態におけるフィルター装置の断面図である。
【図６】本発明の第３の実施の形態におけるフィルター装置の断面図である。
【図７】本発明の第４の実施の形態におけるフィルター装置の斜視図である。
【図８】本発明の第４の実施の形態におけるフィルター装置の断面図である。
【図９】本発明の第４の実施の形態におけるフィルター装置の断面図である。
【図１０】本発明の第４の実施の形態におけるフィルター装置の断面図である。
【図１１】本発明の第５の実施の形態における支持体の斜視図である。
【図１２】本発明の第５の実施の形態における支持体の平面図である。
【図１３】本発明の第５の実施の形態におけるフィルター本体の断面図である。
【図１４】本発明の第６の実施の形態における支持体の正面図である。
【図１５】本発明の第６の実施の形態におけるフィルター本体の正面図である。
【図１６】本発明の第６の実施の形態におけるフィルター本体の断面図である。
【図１７】本発明の第７の実施の形態における断面を六角形状とした場合のフィルター本体の断面図である。
【図１８】本発明の第７の実施の形態における断面を五角形状とした場合のフィルター本体の断面図である。
【図１９】本発明の第７の実施の形態における断面を四角形状とした場合のフィルター本体の断面図である。
【図２０】本発明の第７の実施の形態における断面を三角形状とした場合のフィルター本体の断面図である。
【符号の説明】
１  フィルター装置
２  筐体
３  フィルター本体
６  異物
１０  歯車
１３  チェーン
２３  膨出部
３０  支持体
３１  流通孔
３２  フィルターエレメント
３３  上板
３５  底板
３７  軸受部
４１  軸受部
４２  流出パイプ
４６  フィン
５０  邪魔板
【図１】
2004330009.tif 000003
【図２】
2004330009.tif 000004
【図３】
2004330009.tif 000005
【図４】
2004330009.tif 000006
【図５】
2004330009.tif 000007
【図６】
2004330009.tif 000008
【図７】
2004330009.tif 000009
【図８】
2004330009.tif 000010
【図９】
2004330009.tif 000011
【図１０】
2004330009.tif 000012
【図１１】
2004330009.tif 000013
【図１２】
2004330009.tif 000014
【図１３】
2004330009.tif 000015
【図１４】
2004330009.tif 000016
【図１５】
2004330009.tif 000017
【図１６】
2004330009.tif 000018
【図１７】
2004330009.tif 000019
【図１８】
2004330009.tif 000020
【図１９】
2004330009.tif 000021
【図２０】
2004330009.tif 000022